(57)【特許請求の範囲】
【請求項１】
尿中に含有される全コレステロール及び／又は遊離コレステロールを定量し、定量結果に基づいて糖尿病性腎症、急速進行性腎症および単状糸球体硬化症から選択される腎障害か否かを検査する腎障害の検査方法。
【請求項２】
コレステロールに作用する酵素および界面活性剤を含有する腎障害検査試薬を用いて遊離コレステロールを定量する請求項１記載の腎障害の検査方法。
【請求項３】
コレステロールエステラーゼ、コレステロールに作用する酵素および界面活性剤を含有する腎障害検査試薬を用いて全コレステロールを定量し、コレステロールに作用する酵素がコレステロール脱水素酵素およびコレステロール酸化酵素から選択される請求項１記載の腎障害の検査方法。
【請求項４】
前記コレステロールに作用する酵素がコレステロール脱水素酵素であり、腎障害検査試薬がさらに補酵素としてＮＡＤを含有する請求項２または３記載の腎障害の検査方法。
【請求項５】
前記コレステロールに作用する酵素がコレステロール脱水素酵素であり、腎障害検査試薬がさらに補酵素としてチオＮＡＤおよびＮＡＤＨを含有する請求項２または３記載の腎障害の検査方法。
【請求項６】
前記コレステロールに作用する酵素がコレステロール酸化酵素であり、腎障害検査試薬がさらにペルオキシダーゼを含有する請求項２または３記載の腎障害の検査方法。
【発明の詳細な説明】
【０００１】
技術分野
本発明は、腎障害の検査方法および腎障害検査試薬に関する。
【０００２】
背景技術
尿沈渣中に含まれる成分は、腎に由来する成分、尿路から混入してくる成分、さらには尿中で析出してくる結晶性成分等多種である。沈渣の種類、量を調べることは、腎・尿路疾患の鑑別とその程度を知る上で非常に重要である。これらは、通常染色法による鏡検により行われている。また、尿中マクロファージの表面抗原を調べることによりＩｇＡ腎症の病態診断が可能であること（臨床検査、４２巻、５８８〜５９０、１９９８）、尿中脂肪球及び卵円形脂肪体（以下、単に脂肪体と呼ぶこともある）の鑑別を尿沈渣脂肪染色により行うことにより腎障害の検査が可能であることが示されている（検査と技術、２６巻、４４１−４４６、１９９８）。
【０００３】
さらに、尿中に出現してくる大型マクロファージは白血球の表面抗原ＣＤ１４が陰性、２５Ｆ９が陽性であり、通常のマクロファージがＣＤ１４陽性、２５Ｆ９陰性であることと大きく異なっており、しかも、大型マクロファージに脂肪球、卵円形脂肪体が属していることが示され、これらを測定することは、腎障害の検査として有用であることが述べられている（臨床病理、４７巻、総会号、７３、１９９９）。
【０００４】
しかしながら、これらの測定はいずれも、染色による鏡検、モノクローナル抗体を用いた蛍光標識免疫染色による鏡検あるいはフローサイトメトリー等により行われていた。これらの方法では、１検体ずつ鏡検又はフローサイトメトリー等により検査するため、操作が煩雑で多数検体の測定は困難であった。
【０００５】
発明の開示
本発明の目的は簡便な腎障害の検査方法を提供することである。上記課題解決のために、本発明者らは鋭意検討を行った結果、測定された全コレステロール及び／又は遊離コレステロールの量が腎障害との関連性を有意に示唆するものであることを見出した。
【０００６】
すなわち、本発明は、以下よりなる。
１．尿中に含有される全コレステロール及び／又は遊離コレステロールを定量し、定量結果に基づいて糖尿病性腎症、急速進行性腎症および単状糸球体硬化症から選択される腎障害か否かを検査する腎障害の検査方法。
２．コレステロールに作用する酵素および界面活性剤を含有する腎障害検査試薬を用いて遊離コレステロールを定量する前項１記載の腎障害の検査方法。
３．コレステロールエステラーゼ、コレステロールに作用する酵素および界面活性剤を含有する腎障害検査試薬を用いて全コレステロールを定量し、コレステロールに作用する酵素がコレステロール脱水素酵素およびコレステロール酸化酵素から選択される前項１記載の腎障害の検査方法。
４．前記コレステロールに作用する酵素がコレステロール脱水素酵素であり、腎障害検査試薬がさらに補酵素としてＮＡＤを含有する前項２または３記載の腎障害の検査方法。
５．前記コレステロールに作用する酵素がコレステロール脱水素酵素であり、腎障害検査試薬がさらに補酵素としてチオＮＡＤおよびＮＡＤＨを含有する前項２または３記載の腎障害の検査方法。
６．前記コレステロールに作用する酵素がコレステロール酸化酵素であり、腎障害検査試薬がさらにペルオキシダーゼを含有する前項２または３記載の腎障害の検査方法。
【０００８】
本発明の腎障害の検査方法で使用される酵素は、分解反応、脱水素反応、又は酸化反応を触媒する酵素から選ばれる１種あるいは２種以上の酵素であり得る。
【０００９】
本発明の腎障害の検査方法で使用される界面活性剤は脂肪滴、脂肪体及び脂肪球を可溶化又は分散し均質化する作用を有し、該脂肪滴、脂肪体及び脂肪球が包含する脂質成分を可溶化・分散・遊離し均質化させうるものであればよい。界面活性剤は、２種以上を組合せて用いてもよく、又、非イオン界面活性剤、陽イオン界面活性剤、陰イオン界面活性剤、両イオン界面活性剤又は配糖体であってもよい。
【００１１】
発明を実施するための最良の形態
本発明の課題解決手段は、尿中に含有する脂質成分を測定することである。
【００１２】
また、新規な測定方法として、尿中の不溶性脂肪を可溶化又は分散し均質にさせるに十分な界面活性剤の使用、及び脂質成分に作用する酵素の使用を含むことを特徴とする尿中脂質成分の測定方法が挙げられる。
【００１３】
以下ここで、可溶化させるあるいは、可溶化又は分散させ均質化させるとは、尿中で不溶である脂質成分を尿中で安定にかつ均質に存在させることをいう。すなわち、脂質成分を可溶化させたあるいは、可溶化又は分散させ均質化させた尿では、尿のどの一部分を採って脂質の測定を行っても、ほぼ同一の濃度で脂質成分が存在している。また、別の意味として、脂質成分を可溶化させたあるいは、可溶化又は分散させ均質化させるとは、界面活性剤の作用により、脂質が酵素反応により定量可能な状態にさせることもいい、いずれか一方の意味であっても良く、また両方の意味であっても良い。脂質成分の測定は、後述する公知の方法が用いられる。
【００１４】
尿中の脂質成分としては、脂肪滴、脂肪体及び／又は脂肪球に含まれるものを主要な測定対象とする。血清中においては、脂質は可溶化された状態で存在しているが、尿中では顕微鏡でみえる程度の粒子となっていることが多い。これら不溶性の脂肪の塊になっているものについて、本発明ではその脂質成分量について酵素反応による定量を可能とする。
【００１５】
（対象とする脂質成分）
本発明で測定の対象とする尿中の脂質成分は、例えば、中性脂肪及びその誘導体、リン脂質及びその誘導体、過酸化脂質、ステロール類、脂肪酸、脂肪酸塩、脂肪酸エステル、脂肪族アルコール、脂肪族アルデヒド、糖脂質、スフィンゴ脂質、プロスタグランジン、カロチノイド等の中から選ばれた１種又は２種以上の脂質成分であり、その濃度又は含量をこれらの脂質成分に作用する酵素を働かせて測定する。脂質成分のうち特に重要な対象は、ステロール類及び／又はリン脂質である。
【００１６】
（測定試料の処理）
尿試料は尿自体でもよく、尿を遠心分離して得られる尿沈渣画分又はその上清画分であってもよい。本発明の脂質成分の測定方法は尿試料を何ら処理することなく直接測定することが可能であるだけでなく、尿を遠心分離して尿沈渣を分画し、その画分の脂質成分を測定することも可能である。
【００１７】
（界面活性剤の添加）
本発明は、尿試料中に含有する脂質成分を、界面活性剤の存在下で、脂質成分に作用する酵素を働かせて測定する。界面活性剤は、尿中の不溶性脂肪を可溶化又は分散し均質にする作用を有する物質であれば特に限定されないが、脂肪滴、脂肪体及び脂肪球を可溶化する作用を有し、これらが包含する脂質成分を可溶化・分散・遊離させ均質にしうるものが好ましい。また、超音波処理を単独又は界面活性剤処理と組合せることにより、脂質成分を可溶化・分散・遊離させ均質にしてもよい。
【００１８】
本発明の具体例では、非イオン界面活性剤としてトリトンＸ−１００を例示したが、格別にこれらに限定されるものではない。当業者は、本発明に開示する結果をもとに、単純な実験的繰り返しにより効果の比較を行い、尿中に含有される脂質成分の測定に有効な、不溶性脂肪を可溶化又は分散させ均質にしうる、界面活性剤を得ることができる。非イオン界面活性剤以外に、陽イオン、陰イオン界面活性剤、両イオン界面活性剤又は配糖体を適宜用いることも無論可能である。さらに、界面活性剤を２種以上併用して用いることにより、より確実に可溶化又は分散させ均質化効果を達成することができる。
【００１９】
界面活性剤の添加量は、０．１〜５ｗ／ｖ％が一般的であるが、脂質成分の可溶化又は分散による均質化の程度を考慮して、適宜増量・減量することにより選択可能である。処理条件である温度・時間等は、脂質成分と酵素との反応条件に依存するため、測定対象とする脂質成分と酵素とにより最適な条件を選択することが好ましいが、単純な実験的繰り返しにより決定することができる。また、好ましくは、前処理として予め界面活性剤を添加し、脂質成分を可溶化又は分散させ均質化処理を行っておくことも可能である。この場合、１０〜４０℃の温度で、数秒から数分程度の処理で充分である。無論、この界面活性剤処理は、酵素反応処理との同時処理も可能である。処理は、適宜段階的処理を行ってもよいが、より好ましくは自動化された条件か一元処理がなされることが好ましい。
【００２０】
（酵素を用いた脂質成分の定量）
上記のように界面活性剤等の添加により可溶化又は分散させ均質化した尿中脂質成分の測定は、酵素を用いた脂質の定量方法を用いて行うが、その方法は公知の方法であれば特に限定されない。例えば、ＨＰＬＣ法、ガスクロマトグラフィー法、電気泳動法、化学的方法、酵素を用いた方法が例示される。このうち、酵素を用いた方法は操作性、感度などの面から好適に用いられる。本発明の脂質成分の測定方法では、下記の具体例に示すように、分解反応、脱水素反応、又は酸化反応を触媒する酵素から選ばれる１種又は２種以上の酵素を利用して、脂質成分の測定を行うことができる。尿中の脂質成分は、血清中の脂質成分と比較して微量にしか存在しておらず、酵素を用いることにより高感度に測定が可能となる。
【００２１】
具体的には、中性脂肪を測定する例として、リパーゼで中性脂肪をグリセロールと脂肪酸に分解し、生じるグリセロールを酵素反応により測定する。グリセロールの酵素反応による測定は、グリセロールキナーゼとグリセロール−３−リン酸脱水素酵素を作用させ、補酵素ＮＡＤからＮＡＤＨへの変化速度を測定する方法、グリセロールキナーゼとグリセロールリン酸酸化酵素を作用させ生じる過酸化水素を測定する方法、グリセロールキナーゼとグリセロール−３−リン酸脱水素酵素及びグリセロールリン酸酸化酵素を作用させサイクリング反応によりグリセロールを測定する高感度測定法、グリセロール脱水素酵素を作用させて測定する方法等が用いられる。
【００２２】
リン脂質を測定する場合には、ホスホリパーゼ及びグリセロホスホリルコリンジエステラーゼを作用させて、グリセロール−３−リン酸を生じさせ、そのグリセロール−３−リン酸を中性脂肪の場合と同様に測定する方法、その他のリン脂質を酵素的に測定する公知の方法が用いられる。
【００２３】
生体中の代表的ステロールであるコレステロールを測定するには、コレステロール酸化酵素を作用させて、過酸化水素を生じさせ、その過酸化水素をペルオキシダーゼにより測定する方法、又はコレステロール脱水素酵素を作用させ補酵素ＮＡＤのＮＡＤＨへの変化速度、あるいは変化量を測定する方法、さらには、同じくコレステロール脱水素酵素を用いて、補酵素ＮＡＤＨとチオＮＡＤの２種類の補酵素を用いることによる平衡増幅反応により高感度にコレステロールを測定する方法などが知られている（特開平０８−７０８９４公報）。また、コレステロールオキシダーゼ等により変換される酸化型補酵素を還元型補酵素に再生する第二のデヒドロゲナーゼの還元型基質の存在下、コレステロールを基質としてサイクリング反応をおこさせて測定する方法も報告されている（特開平１１−１８７９７公報）。
【００２４】
コレステロールの脂肪酸エステルの場合には、コレステロールエステラーゼ等の分解酵素を働かせることにより、遊離のコレステロールに変換して上記の方法で測定することが可能である。
【００２５】
脂肪酸の場合には、アシルコエンザイムＡシンセターゼ及びアシルコエンザイムＡオキシダーゼを作用させて生じる過酸化水素を測定する方法が用いられる。
【００２６】
プロスタグランジンではプロスタグランジン脱水素酵素を作用させて測定できる。
糖脂質の場合には、糖脂質分解リパーゼ及び他のリパーゼを作用させて、グリセロールを生成させ測定することが可能である。
【００２７】
スフィンゴ脂質の場合にもスフィンゴ脂質分解リパーゼを作用させ測定することが可能である。
【００２８】
リポ蛋白の場合には、リポ蛋白中に含まれる脂質画分については上記の方法を適用して測定することが可能である。
【００２９】
一方、アポ蛋白の測定に関しては、抗原抗体反応による測定が可能である、例えば、アポＢ蛋白では、抗アポＢ蛋白抗体を用いて、免疫比濁法、粒子凝集免疫測定法、酵素免疫測定法等の公知の測定法が適用できる。他のアポ蛋白の例としてアポＡ−Ｉ、アポＡ−ＩＩ、アポＣ、アポＥ、アポＬＰ（ａ）等がある。また、リポ蛋白の種類に応じた脂質成分も公知の方法を適用することにより測定が可能である。
【００３０】
脂質成分の測定法は、上記に例示した方法に限定されず、既知の脂質成分の測定方法に準じて適宜変更・追加が可能である。
【００３１】
本発明においては、上記本発明の尿中に含有される脂質成分の測定方法に必要な試薬をキット化又は単品で構成してなる尿中脂質成分測定用試薬を提供する。本発明の尿中脂質成分測定用試薬には、尿中の不溶性脂肪を可溶化又は分散させ均質化させるための界面活性剤、及び脂質成分を定量するための試薬を含む。また、測定に必要な試薬を担体に含有させた簡単型の測定用デバイスであってもよい。
【００３２】
（腎障害の検査方法）
本発明の課題解決手段の別の一は、尿中に含有される脂質成分を測定することを特徴とする腎障害の検査方法である。従来、腎障害の検出のための尿中脂肪粒等の検査は顕微鏡所見等の煩雑な手段により行われていた。本発明では、上記本発明の簡便な尿中脂質成分の測定方法を用いて得られた、尿中に含まれる脂質、並びに尿中リポ蛋白類及び／又は尿中アポ蛋白類の測定結果が、有意に腎障害との関連性を示唆するものであることを見出し、本発明の尿中脂質成分の測定方法を用いる簡便な腎障害の検査方法を達成した。また、尿中の脂質成分の量をスコア化して、スコアにより被検者の腎障害の程度を判定可能にする。
【００３３】
本発明の腎障害の検査方法には、上記尿中の脂質成分の測定方法が利用できる。測定の対象とする尿中に含有される脂質成分は、主に尿中の脂肪滴、脂肪体及び／又は脂肪球中に含まれる。そして、尿中の脂肪滴、脂肪体及び／又は脂肪球中に含まれる脂質成分において少なくとも、中性脂肪及びその誘導体、リン脂質及びその誘導体、過酸化脂質、ステロール類、脂肪酸、脂肪酸塩、脂肪酸エステル、脂肪属アルコール、脂肪属アルデヒド、糖脂質、スフィンゴ脂質、プロスタグランジン、カロチノイドの中から選ばれた１種あるいは２種以上の脂質成分を測定の対象とする。
【００３４】
実験例では、腎障害患者のコレステロール値とリン脂質値を測定したが、これらは有意差をもって正常人に比して高値であり、この結果により、尿中に含有する脂質成分、少なくともコレステロール及び／又はリン脂質を定量することは、腎障害の発見に有用であることが判明した。
【００３５】
また、本発明では、尿中の脂質の測定に加えて、尿中リポ蛋白類及び／又は尿中アポ蛋白類の測定をも組合せることが好適な一態様であり、より好適な判断を得ることができる。
【００３６】
かくして本発明は、尿中の１種あるいは２種以上の脂質、並びに尿中リポ蛋白類及び／又は尿中アポ蛋白類等の脂質成分を測定しその結果を解析することによる、腎障害の検出及びその程度の判定を可能にする、腎障害の検査方法を提供する。
【００３７】
本発明は、腎障害の検出及び障害程度の判定のために、この尿中脂質成分の測定に加えて、尿中に含まれる白血球の表面抗原の測定又は検出を行う方法も組合せて利用することを開示する。特に尿中脂質成分が高値（脂質、並びにリポ蛋白類及び／又はアポ蛋白類の測定結果をスコア化）を示した試料についてのみ、尿中に含まれる白血球の表面抗原の測定又は検出を行う方法を導入してもよい。これらの組合せにより、より好適な腎障害の検査を可能となる。つまり、尿中の脂質成分の測定と合わせて、尿中に含まれる白血球の表面抗原の測定又は検出を組合せることにより、腎障害の検出及びその程度の判定がより好適に行われる。
【００３８】
尿中の脂質成分の測定と尿中に含まれる白血球の表面抗原の測定又は検出とを組合せて腎障害の検査を行う場合、尿の一部を上述の脂質、並びにリポ蛋白類及び／又はアポ蛋白類の測定に用いると共に、一部を遠心分離により尿沈査画分を分画して白血球の表面抗原、例えばＣＤ１４、ＣＤ１６、２５Ｆ９等、を公知の鏡検あるいはフローサイトメトリー等により測定検出することも可能である。また、尿沈査画分の一部を用いて、脂質、並びにリポ蛋白類及び／又はアポ蛋白類を測定し、残りの一部で白血球の表面抗原を鏡検あるいはフローサイトメトリー等で検出測定することも可能である。さらに、尿の一部は遠心分離により尿沈渣を分画し、白血球表面抗原を測定検出する一方、尿の一部を凍結融解及び／又は界面活性剤処理等を単独あるいは組合せて、尿中の細胞を破壊させる工程を経た尿検体の脂質、並びにリポ蛋白類及び／又はアポ蛋白類の測定を行うことも可能である。
【００３９】
本発明の腎障害の検査方法が包含する、尿中脂質の測定、並びに尿中リポ蛋白類及び／又は尿中アポ蛋白類の測定、あるいはこれらと尿中に含まれる白血球の表面抗原の測定若しくは検出、により得られた結果を随時組合せて解析することは、より好適な腎障害判定を可能とする。解析に用いる測定結果は適宜選定可能である。例えば、コレステロールとリン脂質の比を指標にすることも可能であり、その比とＣＤ１４の測定検出結果を組合せることもできる。尿中に含まれる白血球の表面抗原の測定検出結果も複数の結果を組合せることができる。
【００４０】
（実施例）
以下に実施例を挙げて本発明をさらに説明するが、本発明は実施例に限定されるものではない。
【００４１】
（実施例１）
正常人の尿と腎障害患者尿それぞれについて、コレステロール濃度を測定した。尿は予め１０％トリトンＸ−１００と９：１の割合で混合し、尿検体とした。
【００４２】
コレステロール測定は下記の組成の測定試薬２種類を調製し、尿検体１０μＬをとり、２５０μＬの試薬−１に添加し、３７℃で５分間反応後、１００μＬの試薬−２を添加し、添加後、１分目から３分目までの波長４１５ｎｍにおける１分間あたりの吸光度変化量を求め、コレステロール濃度を求めた。その結果を表１に示した。
【００４３】
試薬−１
ＰＩＰＥＳ                                        ２０ｍｍｏｌ／Ｌ
ＫＣｌ                                          １５０ｍｍｏｌ／Ｌ
トリトンＸ−１００                              ０．３ ｗ／ｖ％
コール酸ナトリウム                              ０．３ ｗ／ｖ％
チオＮＡＤ                                    １．２５ｍｍｏｌ／Ｌ
牛血清アルブミン                                ０．１ ｗ／ｖ％
コレステロール脱水素酵素                            ３Ｕ／ｍｌ
コレステロールエステラーゼ                          ５Ｕ／ｍｌ
ｐＨ                                            ７．０
【００４４】
試薬−２
ＣＨＥＳ                                        １７５ｍｍｏｌ／Ｌ
トリトンＸ−１００                              ０．３ ｗ／ｖ％
コール酸ナトリウム                              ０．３ ｗ／ｖ％
β−ＮＡＤＨ                                    ３．５ｍｍｏｌ／Ｌ
ｐＨ                                            ９．１
【００４５】
（実施例２）
実施例１で調製した尿検体について、リン脂質濃度を測定した。リン脂質測定は下記の組成の測定試薬２種類を調製し、尿検体１０μＬをとり、２５０μＬの試薬−１に添加し、３７℃で５分間反応後、１００μＬの試薬−２を添加し、添加後、１分目から３分目までの波長５４６ｎｍにおける１分間あたりの吸光度変化量を求め、リン脂質濃度を求めた。その結果を表１に示した。
【００４６】
試薬−１
ＨＥＰＥＳ                                        ５０ｍｍｏｌ／Ｌ
ＣａＣｌ２                                        １．０ｍｍｏｌ／Ｌ
トリトンＸ−１００                                ０．２ ｗ／ｖ％
グリセロール−３−リン酸脱水素酵素                 １．５Ｕ／ｍｌ
ホスホリパーゼＡ１                                 ２．０Ｕ／ｍｌ
ホスホリパーゼＡ２                                   ２．０Ｕ／ｍｌ
グリセロホスホリルコリンホスホ−ジエステラーゼ
０．６Ｕ／ｍｌ
ＮＡＤＨ                                             ０．５ｍＭ
フェノール                                           ０．０５％
アスコルビン酸オキシダーゼ                           ３Ｕ／Ｌ
ｐＨ                                                 ８．０
【００４７】
試薬−２
リン酸緩衝液                                     ２０ｍｍｏｌ／Ｌ
グリセロ−３−リン酸オキシダーゼ                 ２００Ｕ／ｍｌ
ＰＯＤ                                           １０Ｕ／ｍｌ
４−アミノアンチピリン                           ２．０ｍＭ
ｐＨ                                             ７．５
【００４８】
その結果、腎障害患者の尿中コレステロール及びリン脂質の濃度は、正常人に比べて明らかに高値であることが判り、少なくとも尿中のコレステロール及び／又はリン脂質を測定することにより、腎障害を検査できることが判った。
【００４９】
【表１】
0004527925.tif 000002
【００５０】
（実施例３）
１２２例の尿検体（ＩｇＡ腎症［ＩｇＡＮ］５１例、糖尿病性腎症［ＤＭＮ］１０例、糸球体硬化症［Ｎｅｐｈｒｏｓｃｒｅｌｏｓｉｓ］９例、膜性腎症［ＭＮ］６例、膜性増殖性糸球体腎炎［ＭＰＧＮ］７例、急速進行性腎症［ＲＰＧＮ］１２例、微小変化型ネフローゼ症候群［ＭＣＮ］３例、単状糸球体硬化症［ＦＧＳ］１２例、慢性腎不全［ＣＲＦ］ ５例、正常７例）中のリン脂質、遊離コレステロール、コレステロール、アポＡ１の濃度を測定した。
【００５１】
その結果を図１〜５に示した。これらの何れの脂質関連マーカーも、上記の腎障害のいずれかの疾患群で正常尿に比して有意に高値を示すことが判り、尿中の脂質成分を測定することにより、腎障害を検査、診断することが可能であることが明らかになった。また、別途、堀田らが報告しているオイルレッドＯ陽性パーティクル（尿中脂肪球）の個数（５ｍＬ中）を測定した（Ｔａｋａｓｈｉ Ｏｄａ，Ｏｓａｍｕ Ｈｏｔｔａ ｅｔ ａｌ．Ｋｉｄｎｅｙ Ｉｎｔｅｒｎａｔｉｏｎａｌ，Ｖｏｌ．５３，１１９０−１２００，（１９９８））。
【００５２】
尿中脂肪球は、ＩｇＡＮ、ＲＰＧＮ、ＦＧＳで特に高値を示したが、逆に、ＭＣＮなどでは正常尿と変わらなかった。それに比して、本発明の方法ではＩｇＡＮ、ＲＰＧＮ、ＦＧＳのみならず、他の腎障害をも感度良く検出できることが判り、本発明の有用性が確かめられた。
【００５３】
なお、コレステロールの測定は実施例１に示す方法、リン脂質の測定は実施例２に示す方法、遊離コレステロールの測定は実施例１に示す試薬−１からコレステロールエステラーゼを除いたほかは実施例１と同様の操作で測定を行った。
【００５４】
アポＡ１の測定は、アポＡ−Ｉ免疫試薬・ＮＤ「コクサイ」を用いて測定を行った。
尿は予め１０％トリトンＸ−１００と９：１の割合で混合し、尿検体とした。尿検体１０μＬ、１６０μＬの第一試薬、４０μＬの第二試薬の試薬検体比で測定した以外は取扱説明書に準じて操作を行った。
【００５５】
（実施例４）
定期健康診断受診者から採取された尿検体１７５例を用いて、尿中コレステロールを実施例１に記載の方法によって測定し、健常人の尿中コレステロールの参照値を求めた。健常人の血清中のコレステロール値は通常１３０〜２５０ｍｇ／ｄＬであるのに対して、尿中コレステロールの値は、血清コレステロール値の１０００分の１以下で０．０１〜０．２５ｍｇ／ｄＬであった。
【００５６】
対照として、市販の血清中コレステロール測定キットを用いて、測定したが、何れの検体もコレステロールを測定することはできなかった。このことから、尿中コレステロールの測定は、本発明の実施例１に記載された方法等を用いる高感度測定法が必要であることがわかった。
【００５７】
産業上の利用可能性
本発明では、腎障害と尿中に含有される全コレステロール及び／又は遊離コレステロールの量との相関性を見出し、腎障害の検出のためには、全コレステロール及び／又は遊離コレステロールの測定が極めて有効であることを見出した。さらに、この尿中全コレステロール及び／又は遊離コレステロールの測定において、全コレステロール及び／又は遊離コレステロールの測定結果を解析することにより、より確実な腎障害の程度を検査する方法を提供した。
【図面の簡単な説明】
１２２例の尿検体について、リン脂質、遊離コレステロール、コレステロール、アポＡ１を測定し、疾患との関係を調べた。第１図は尿中脂質関連マーカー（オイルレッド陽性粒子）と疾患との関係を、第２図は尿中脂質関連マーカー（遊離コレステロール）と疾患との関係を、第３図は尿中脂質関連マーカー（アポＡ１）と疾患との関係を、第４図は尿中脂質関連マーカー（リン脂質）と疾患との関係を、および第５図は尿中脂質関連マーカー（全コレステロール）と疾患との関係を示す。図中、符号１はＩｇＡ腎症疾患を、符号２は糖尿病性腎症疾患を、符号３は糸球体硬化症疾患を、符号４は膜性腎症疾患を、符号５は膜性増殖性糸球体腎炎疾患を、符号６は急速進行性腎症を、符号７は微小変化型ネフローゼ症候群疾患を、符号８は単状糸球体硬化症疾患を、符号９は慢性腎不全疾患を、及び符号１０は正常をしめす。
【図１】
0004527925.tif 000003
【図２】
0004527925.tif 000004
【図３】
0004527925.tif 000005
【図４】
0004527925.tif 000006
【図５】
0004527925.tif 000007